(57)【要約】      （修正有）【課題】ハウス内の地面に敷設された育苗箱を、腰や膝を曲げることなく軽力で持ち上げ、軽トラック等の搬送手段に積載するまでの一連の作業を１人で効率よく行うことができるようにするための育苗箱持ち上げ具を提供する。【解決手段】一端部が把手部１となった長尺の棒体の他端部に育苗箱を引掛ける引掛け爪部３を設け、引掛け爪部３を育苗箱の縁部に係合させた後、把手部１を斜め上方向に持ち上げることによって、作業者がしゃがむことなく、苗箱を片手で持ち上げることが可能となるよう構成した。また吊下げ部を設け、ハウス縦方向上部に張ったひもから垂らしたもう１本のひもと連結することにより、把手部１を手放した後も育苗箱持ち上げ具１２は倒れずに、自立するよう構成した。【選択図】図１
0003184640.tif 000002
【実用新案登録請求の範囲】
【請求項１】
一端部が把手部となった長尺の棒体の他端部に、育苗箱を引掛ける引掛け手段を設け、該引掛け手段は、育苗箱の縁部に引掛け可能な引掛け爪部を持ち、該引掛け爪部を育苗箱の縁部に係合させた後、前記棒体の把手部を育苗箱の引掛けた側と反対側方向の斜め上方向に持ち上げることによって、育苗箱の片側を地表より持ち上げるように構成したことを特徴とする育苗箱持ち上げ具。
【請求項２】
棒体の折曲部近辺または把手部に吊下げ手段を設け、吊下げ手段は、吊下げ用リングと吊下げ用フックとで構成し、ハウス縦方向上部に張ったひもから、該ひもに沿って移動可能な別のひもを垂らし、そのひもと吊下げ用フックを結わえることによって、前記把手部から手を放しても、倒れずに自立しているように構成した育苗箱持ち上げ具。
【請求項３】
棒体は引掛け基体部と溶接等で固着しているが、引掛け基体部の面に対して、垂直ではなく、８０度程度に傾いて構成したことを特徴とする育苗箱持ち上げ具。
【請求項４】
把手部は棒体に対しておよそ直角に曲げて構成されており、引掛け爪部を育苗箱縁部に引っ掛けた後、育苗箱持ち上げ具を斜め上方向に持ち上げようとする際に、より力が出しやすいように構成されていることを特徴とする育苗箱持ち上げ具。
【考案の詳細な説明】
【技術分野】
【０００１】
本考案は、ハウス内に敷設されてある育苗箱を運搬する際に、作業者がしゃがんだり腰を屈めたりしないで育苗箱を持ち上げ、その育苗箱を両手で持って軽トラック等の搬送手段に積載するまでの一連の作業を、１人で行うことが出来るようにするための育苗箱持ち上げ具に関するものである。
【背景技術】
【０００２】
従来、ハウス内の地面に敷設されている育苗箱を軽トラック等の搬送手段に積載ためするには、まず作業者が一旦しゃがんで、両手で育苗箱を持って立ち上がるという動作を要した。
【０００３】
特開２０００−５０７３７号公報に示される育苗箱運搬用保持具は、育苗箱の側周壁をフック等で上下から挟み、それに連結したハンドル部を両手で持って運搬する運搬用保持具で、実用新案登録第３１６０６１９号公報に示される育苗箱持ち上げ具は、両手に１本づつ育苗箱持ち上げ具を持ち、それぞれを育苗箱の縁部に引っ掛けて持ち上げて運搬する育苗箱持ち上げ具である。
【０００４】
この作業者の負担を軽減するために、特開２０００−５０７３７号公報や実用新案登録第３１６０６１９号公報に示すような育苗箱持ち上げ具が提案されている。
【先行技術文献】
【特許文献】
【０００５】
【特許文献１】特開２０００−５０７３７号公報
【非特許文献】
【０００６】
【非特許文献１】実用新案登録第３１６０６１９号公報
【考案の概要】
【考案が解決しようとする課題】
【０００７】
本考案は、ハウス内の地面に敷設された育苗箱を腰や膝を曲げることなく持ち上げ、軽トラック等の搬送手段に積載することを１人の作業者で効率よく行うことが出来る育苗箱持ち上げ具を提案することを目的とする。
【０００８】
従来、ハウス内の地面に敷設されている育苗箱を軽トラック等の搬送手段に積載するには、作業者が一旦しゃがんで、両手で育苗箱を持って立ち上がるという動作を要した。
【０００９】
この作業者の負担を軽減するために、特開２０００−５０７３７号公報や実用新案登録第３１６０６１９号公報に示すような育苗箱起き上げげ具が提案されている。
【００１０】
しかし特開２０００−５０７３７号公報に示される育苗箱運搬用保持具と実用新案登録第３１６０６１９号公報に示される育苗箱持ち上げ具のいずれも、両手で運搬用保持具または持ち上げ具を持っているために、育苗箱を軽トラック等の搬送手段に積載する際には、非常に無理な姿勢になるか、あるいは育苗箱を一旦中継台等に置き、その育苗箱を別の作業者が軽トラック等の搬送手段まで持ち運ぶという作業を要した。この方法では、一旦持ち上げた育苗箱をもう一度置くという効率の悪さと、作業者が２人必要となるなどコスト面の課題があった。
本考案は、これらの問題点を解決するためになされたものである.
【課題を解決するための手段】
【００１１】
本考案は、長尺の棒体２と、この棒体２の一端側の把手部１と、棒体２の他端側の引掛け手段（引掛け基体部５と引掛け爪部３）、さらに棒体２の折曲部４近辺または把手部１に吊下げ手段（吊下げ用リング６と吊下げ用フック７）とを有して構成している。
【００１２】
把手部１は棒体２に対しておよそ直角に曲げて構成されており、引掛け爪部３を育苗箱縁部１１に引っ掛けた後、育苗箱持ち上げ具１２を斜め上方向に持ち上げようとする際に、より力が出しやすいように構成されていることを特徴とする。
【００１３】
引掛け手段は引掛け基体部５と引掛け爪部３とを有して構成されており、引掛け基体部５には２個の引掛け爪部３がボルト等で固着されており、２個の引掛け爪部３の間の引掛け基体部５は半円形にえぐれている。これは育苗箱縁部１１の真中のリブを避けるためである。また引掛け爪部３はＬ字状に曲折している。引掛け手段は以上の構成を特徴とする。
【００１４】
棒体２は引掛け基体部５と溶接等で固着しているが、図４に示すように引掛け基体部５の面に対して、垂直ではなく、８０度程度に傾いて構成したことを特徴とする。これは作業のやりやすさを考慮したものである。
【００１５】
吊下げ手段として吊下げ部リング６，吊下げ部フック７を設け、図６に示すようにハウス内上部縦方向ひも９から、このひもに沿って移動可能な吊下げ用ひも８を垂らし、このひもに吊下げ部フック７を結わえ、該吊下げ部フック７を吊下げ部リング６に引っ掛けることにより、苗箱を両手で持つために把手部１を手放した際にも、育苗箱持ち上げ具１２は倒れることなく、自立するよう構成したことを特徴とする。
【００１６】
また同じく図６に示すようにハウス内上部縦方向ひも９、１０は、それぞれ育苗箱３〜４列ごとに１本張ってあり、それぞれから垂れている吊下げ用ひも８、１３のいずれにも吊下げ用フックを結わえておくことを特徴とする。これは運搬しようとする苗箱の場所を変更しようとする際に、例えば吊下げ用ひも８に結わえられた吊下げ用フック７から吊り下げ用リング６をはずし、吊下げ用ひも１３に結わえられた吊下げ用フック７に吊下げリング６を取り付ければ、育苗箱持ち上げ具１２の設置が簡単に出来ることを目的としている。
【考案の効果】
【００１７】
以上のように本考案によれば、引掛け爪部を苗箱縁部に係合させた後、把手部を斜め上方向に引き上げることによって、作業者は腰を屈めたり、しゃがんだりすることなく軽い力で育苗箱の一方を持ち上げることが出来る。
【００１８】
また吊下げ手段（吊下げ用リングと吊下げ用フック）を有する構成となっているので、たとえ把手部を手放しても育苗箱持ち上げ具は倒れることがない。従って作業者は育苗箱を両手で持って軽トラック等の搬送手段に積載することが出来る。このように作業者の肉体的負担を軽減し、かつ一連の作業を効率よく１人で行うことを可能とした構成となっている。
【００１９】
さらに図６で示すように、ハウス縦方向上部のひもは育苗箱の列３〜４列に１本の割合で張り、そこからもう１本別のひもを垂らし、そのひもそれぞれに吊下げ用フックを結わえておくことで、運搬しようとする育苗箱を別の３〜４列に移行する際にも、吊下げ用リングから現在の吊下げ用フックを取り外し、移行する場所のフックに取り付けることで、容易に育苗箱持ち上げ具をセットすることが出来るように構成されており、作業時間の短縮が可能となる。
【図面の簡単な説明】
【００２０】
【図１】本実施例を示す外観斜視図である。
【図２】本実施例の把手部と吊下げ部の拡大斜視図である。
【図３】本実施例の爪部を育苗箱縁部に引掛けた状態を示す説明断面図である。
【図４】本実施例の使用状態を示す説明図である。
【図５】本実施例の使用状態を示す説明図である。
【図６】本実施例の引掛け部の拡大斜視図である。
【考案を実施するための形態】
【００２１】
以下、本考案の実施の形態について、図面に基づいて説明する。図１に示すように本考案は、長尺の棒体２と、この棒体２の一端側の把手部１と、棒体２の他端側の引掛け手段（引掛け基体部５と引掛け爪部３）、さらに棒体２の折曲部４近辺または把手部１に吊下げ手段（吊下げ用リングと吊下げ用フック７）とを有して構成している。
【００２２】
図３に示すように把手部１は棒体２に対しておよそ直角に曲げて構成されており、引掛け爪部３を育苗箱縁部１１に引っ掛けた後、育苗箱持ち上げ具１２を斜め上方向に持ち上げようとする際に、より力が出しやすいように構成されていることを特徴とする。
【００２３】
図２に示すように引掛け手段は引掛け基体部５と引掛け爪部３とを有して構成されており、引掛け基体部５には２個の引掛け爪部３がボルト等で固着されており、２個の引掛け爪部３の間の引掛け基体部５は半円形にえぐれている。これは育苗箱縁部１１の真中のリブを避けるためである。また引掛け爪部３はＬ字状に曲折している。引掛け手段は以上の構成を特徴とする。
【００２４】
棒体２は引掛け基体部５と溶接等で固着しているが、図４に示すように引掛け基体部５の面に対して、垂直ではなく、８０度程度に傾いて構成したことを特徴とする。これは作業のやりやすさを考慮したものである。
【００２５】
吊下げ手段として吊下げ部リング６，吊下げ部フック７を設け、図６に示すようにハウス内上部縦方向ひも９から、このひもに沿って移動可能な吊下げ用ひも８を垂らし、このひもに吊下げ部フック７を結わえ、該吊下げ部フック７を吊下げ部リング６に引っ掛けることにより、育苗箱を両手で持つために把手部１を手放した際にも、育苗箱持ち上げ具１２は倒れることなく、自立するよう構成したことを特徴とする。
【００２６】
また同じく図６に示すようにハウス内上部縦方向ひも９、１０は、それぞれ育苗箱３〜４列ごとに１本張ってあり、それぞれから垂れている吊下げ用ひも８、１３のいずれにも吊下げ用フック７を結わえておくことを特徴とする。これは運搬しようとする育苗箱の場所を変更しようとする際に、例えば吊下げ用ひも８に結わえられた吊下げ用フック７から吊り下げ用リング６をはずし、吊下げ用ひも１３に結わえられた吊下げ用フック７に吊下げリング６を取り付ければ、育苗箱持ち上げ具１２のセットが簡単に出来ることを目的としている。
【実施例】
【００２７】
本考案を実施するときは、図５に示すように作業者は育苗箱の長尺縁側に対して正対して立ち、育苗箱持ち上げ具１２を持った手の側と反対側の育苗箱の縁部に引掛け爪部３を引っ掛け、育苗箱を引掛けた側と反対側方向の斜め上方向に把手部１を持ち上げる。次に空いている方の手で持ち上がった育苗箱の縁をつかむ。把手部１を放し、つかんでいる育苗箱を片手で少し持ち上げ、空いているもう一方の手でもう一方の育苗箱縁部をつかむ。そのまま両手で育苗箱を持って軽トラック等の搬送手段に行き、積載する。このとき育苗箱持ち上げ具１２は吊下げ用ひも８と連結しているので倒れずに自立している。
【００２８】
また図６に示すように、ハウス縦方向上部にひもが苗箱の列３〜４列に１本の割合で張ってあり、それぞれからもう１本別のひもを垂らし、吊下げ用フック７を結わえあるので、運搬する育苗箱を別の３〜４列に移行する際には、育苗箱持ち上げ具１２の現在のフックを取り外し、移行する場所のフックに取り付けることで、容易に育苗箱起き上げ具１２のセットが出来、作業時間の短縮が可能となる。
【産業上の利用可能性】
【００２９】
ハウスから育苗箱を搬出する際にしゃがまずに育苗箱を持ち上げることが出来るので、作業者への肉体的負担が大幅に軽減され、また作業には、複数人数を必用とせず、１人で出来るので人件費のコスト削減につながる。さらにハウス縦方向上部に複数のひもを張り、ひもの端部に吊下げ用フックを結わえておくことで、育苗箱持ち上げ具１２の設置が容易に出来るので作業時間の短縮につながる。
【符号の説明】
【００３０】
１  把主部
２  棒体
３  引掛け爪部
４  折曲げ部
５  引掛け基体部
６  吊下げ用リング
７  吊下げ用フック
８  吊下げ用ひも
９  ハウス内上部縦方向ひも
１０  ハウス内上部縦方向ひも    
１１  育苗箱縁部
12  育苗箱持ち上げ具
１３  吊下げ用ひも
【図１】
0003184640.tif 000003
【図２】
0003184640.tif 000004
【図３】
0003184640.tif 000005
【図４】
0003184640.tif 000006
【図５】
0003184640.tif 000007
【図６】
0003184640.tif 000008
【手続補正書】
【提出日】平成25年4月17日(2013.4.17)
【手続補正１】
【補正対象書類名】実用新案登録請求の範囲
【補正対象項目名】全文
【補正方法】変更
【補正の内容】
【実用新案登録請求の範囲】
【請求項１】
一端部が把手部となった長尺の棒体の他端部に、育苗箱を引掛ける引掛け手段を設    け、該引掛け手段は、育苗箱の縁部に引掛け可能な引掛け爪部を持ち、該引掛け爪    部を育苗箱の縁部に係合させた後、前記棒体の把手部を育苗箱の引掛けた側と反対    側方向の斜め上方向に持ち上げることによって、育苗箱の片側を地表より持ち上げ    るように構成したことを特徴とする育苗箱持ち上げ具。
【請求項２】
棒体の折曲部近辺または把手部に吊下げ手段を設け、吊下げ手段は、吊下げ用リン    グと吊下げ用フックとで構成し、ハウス縦方向上部に張ったひもから、該ひもに沿    って移動可能な別のひもを垂らし、そのひもと吊下げ用フックを結わえることによ    って、前記把手部から手を放しても、倒れずに自立しているように構成したことを    特徴とする請求項１記載の育苗箱持ち上げ具。
【請求項３】
棒体は引掛け基体部と溶接等で固着しているが、引掛け基体部の面に対して、垂直    ではなく、８０度程度に傾いて構成したことを特徴とする請求項１記載の育苗箱持    ち上げ具。
【請求項４】
把手部は棒体に対しておよそ直角に曲げて構成されており、引掛け爪部を育苗箱縁    部に引っ掛けた後、育苗箱持ち上げ具を斜め上方向に持ち上げようとする際に、よ    り力が出しやすいように構成されていることを特徴とする請求項１記載の育苗箱持    ち上げ具。